(57)【要約】【課題】余剰の水または養液の少なくとも一方を植栽部材の外に排出することができ、また、パネル間の隙間や通気口などからの水や養液の漏れを防止することができる壁面緑化パネルが望まれていた。【解決手段】本発明に係る壁面緑化パネルは、正面に開口を有する植栽空間と、導入口と、開口の下端部よりも低い位置に開口の下端部を設けた放出口と、を備える植栽部材と、植栽空間内において、導入口から導入される水または養液の少なくとも一方を吸い込むとともに放出口を覆うように配置した第１吸水部材と、放出口の開口側面に放出口から外側に向かって突出するように配置した第２吸水部材を備えることを特徴とする。【選択図】図１
2019062818.tif 000002
【特許請求の範囲】
【請求項１】
正面に開口を有する植栽空間と、導入口と、前記開口の下端部よりも低い位置に開口の下端部を設けた放出口と、を備える植栽部材と、
前記植栽空間内において、前記導入口から導入される水または養液の少なくとも一方を吸い込むとともに前記放出口を覆うように配置した第１吸水部材と、
前記放出口の開口側面に前記放出口から外側に向かって突出するように配置した第２吸水部材を備えることを特徴とする壁面緑化パネル。
【請求項２】
前記導入口および前記放出口が、
前記植栽部材の背板または側板の少なくとも一方に設けられ、
前記第１吸水部材が、
前記植栽部材内において前記導入口と前記放出口との間に渡設されていることを特徴とする請求項１に記載の壁面緑化パネル。
【請求項３】
前記第２吸水部材が、
前記第１吸水部材と連結または一体化しているとともに、前記放出口から鉛直方向に対してほぼ水平に突出していることを特徴とする請求項１または請求項２に記載の壁面緑化パネル。
【請求項４】
前記第２吸水部材が、
前記第１吸水部材に設けた切り込みによって形成された舌片部であるとともに、前記舌片部を前記放出口から鉛直方向に対してほぼ水平に突出させることで形成されたものであることを特徴とする請求項１または請求項２に記載の壁面緑化パネル。
【請求項５】
前記第２吸水部材の前記放出口からの突出角度が、
鉛直方向に対して６０〜９０°であることを特徴とする請求項１から請求項４のいずれか一項に記載の壁面緑化パネル。
【請求項６】
前記第１吸水部材および前記第２吸水部材が、
ＪＩＳ  Ｌ  １９０７の滴下法における吸水速度が５秒以下のものであることを特徴とする請求項１から請求項５のいずれか一項に記載の壁面緑化パネル。
【発明の詳細な説明】
【技術分野】
【０００１】
本発明は、壁面緑化に用いるパネルに関するものであり、詳しくは植栽空間と導入口と放出口を備える植栽部材に、吸水部材を特定の形態で設けることによって、導入される水や養液の内、余剰の水や養液を植栽部材の外に排出することができる壁面緑化パネルに関するものである。
また、導入される水や養液を素早く吸水することができ、余剰の水や養液が発生した場合でもパネル間の隙間や通風孔などからの水や養液の漏れを防止することができる壁面緑化パネルに関するものである。
【背景技術】
【０００２】
従来から様々なタイプの壁面緑化パネルが開発されており、そのうちの１つにシート状の部材に水や養液を吸収させて植栽に灌水するタイプのものがある。
このようなシート状部材を用いるタイプの壁面緑化パネルは、上方から水や養液を供給してシート状部材に吸収させる一方、余剰な水や養液を排出する必要があることから、様々な構造のものが提案されている（特許文献１〜３参照）。
【０００３】
具体的には、特許文献１に記載の発明は、上方からの水や養液を保水材６（シート状部材）に吸収させ、後方折曲片１３や引込口５ａを用いて植栽土壌８に給水し、余剰の水や養液を排水穴１７、２３から排出する構造となっている（特許文献１の［００２５］、［００３５］、［００３６］、［００４８］、［図３］、［図７］参照）。
【０００４】
特許文献２に記載の発明は、上方からの水や養液を保水基盤２００（シート状部材、植栽基盤も兼ねている）に吸収させ、余剰の水や養液を保水基板の下端部２２０から排水ケース６５０に排出する構造となっている（特許文献２の［００６２］、［００６４］、［００７０］、［図１］参照）。
【０００５】
特許文献３に記載の発明は、上方からの水や養液を培土基盤２１（シート状部材、植栽基盤も兼ねている）に吸収させ、余剰の水や養液を排水ヒモ２３から樋状の支持部材１１に排出する構造となっている（特許文献３の［００３１］、［００３２］、［図１］、［図５］参照）。
【先行技術文献】
【特許文献】
【０００６】
【特許文献１】特開２００４−３３７０５４号公報
【特許文献２】特開２０１０−２３９８７８号公報
【特許文献３】特開２０１３−１９２５１６号公報
【発明の概要】
【発明が解決しようとする課題】
【０００７】
しかしながら、特許文献１〜３に記載されている壁面緑化パネルは全て、水や養液をシート状部材の上端部で導入し、シート状部材の下端部や植栽容器の底から排出する構造となっている。つまり、シート状部材について着目した場合には、水や養液のいわゆる「逃げ道」はシート状部材の上端部と下端部にしかない構造となっているのである。また、特許文献１〜３に記載されている壁面緑化パネルは、水や養液をシート状部材の上から下に向かって掛け流すだけの構造（特許文献２の［００７０］参照）であることから、シート状部材には絶えず水や養液の供給を行ったり、細かな灌水管理をしたりすることが必要となってくるのである。
従って、特許文献１〜３に記載されている壁面緑化パネルでは、常に多くの水や養液がシート状部材に存在する状態となるため、パネル内に蒸れが発生しやすくなり、カビが発生しやすくなるという問題がある。
【０００８】
なお、このような問題を解決するためには、パネルの背面などシート状部材と接するパネル部分に通風孔を設ければよいことになるが、特許文献１〜３に記載されている壁面緑化パネルは、いわゆる「逃げ道」がシート状部材の上端部と下端部にしかない構造であり、また水や養液をシート状部材の上から下に向かって掛け流すだけの構造であることから、通風孔を設けると今度は係る通風孔から水や養液が漏れ出てしまうという問題が生じることになる。
【０００９】
今般、本願発明者らは鋭意検討を行った結果、シート状部材を特定の構造（形態）とすることによって、通風孔を設けるような構造を採用した場合でも余剰の水または養液の少なくとも一方を他の部位から漏らすことなく植栽部材の外に排出することができる壁面緑化パネルを実現できるという知見を得るに至った。
また、植栽空間に水または養液の少なくとも一方を貯留することができる貯留部を設ければ、上記知見とともに、絶えず水または養液の少なくとも一方の供給を行ったり細かな灌水管理をしたりする必要がなく、水または養液の少なくとも一方をより効率的に用いることができるという知見を得るに至った。
【００１０】
本発明は、上記した従来の問題点に鑑みてなされたものであって、植栽空間と導入口と放出口を備える植栽部材に、吸水部材を特定の形態で設けることによって、導入される水または養液の少なくとも一方の内、余剰の水または養液の少なくとも一方を植栽部材の外に排出することができる壁面緑化パネルの提供を目的とするものである。
また、導入される水や養液を素早く吸水することができ、余剰の水や養液が発生した場合でもパネル間の隙間や通風孔などからの水や養液の漏れを防止することができる壁面緑化パネルの提供を目的とするものである。
【課題を解決するための手段】
【００１１】
上記目的を達成するために、本発明の請求項１に係る壁面緑化パネルは、正面に開口を有する植栽空間と、導入口と、開口の下端部よりも低い位置に開口の下端部を設けた放出口と、を備える植栽部材と、植栽空間内において、導入口から導入される水または養液の少なくとも一方を吸い込むとともに放出口を覆うように配置した第１吸水部材と、放出口の開口側面に放出口から外側に向かって突出するように配置した第２吸水部材を備えることを特徴とする。
【００１２】
本発明の請求項２に係る壁面緑化パネルは、導入口および放出口が、植栽部材の背板または側板の少なくとも一方に設けられ、第１吸水部材が、植栽部材内において導入口と放出口との間に渡設されていることを特徴とする。
【００１３】
本発明の請求項３に係る壁面緑化パネルは、第２吸水部材が、第１吸水部材と連結または一体化しているとともに、放出口から鉛直方向に対してほぼ水平に突出していることを特徴とする。
【００１４】
本発明の請求項４に係る壁面緑化パネルは、第２吸水部材が、第１吸水部材に設けた切り込みによって形成された舌片部であるとともに、舌片部を放出口から鉛直方向に対してほぼ水平に突出させることで形成されたものであることを特徴とする。
【００１５】
本発明の請求項５に係る壁面緑化パネルは、第２吸水部材の放出口からの突出角度が、鉛直方向に対して６０〜９０°であることを特徴とする。
【００１６】
本発明の請求項６に係る壁面緑化パネルは、第１吸水部材および第２吸水部材が、ＪＩＳ  Ｌ  １９０７の滴下法における吸水速度が５秒以下のものであることを特徴とする。
【発明の効果】
【００１７】
本発明の壁面緑化パネルによれば、植栽空間と導入口と放出口を備える植栽部材に、吸水部材を特定の形態で設けることによって、導入される水または養液の少なくとも一方の内、余剰の水または養液の少なくとも一方を植栽部材の外に排出することができる。
また、導入される水または養液の少なくとも一方を素早く吸水することができ、余剰の水や養液が発生した場合でもパネル間の隙間や通風孔などからの水または養液の少なくとも一方の漏れを防止することができる。
【００１８】
本発明の請求項２に係る壁面緑化パネルによれば、導入口、放出口、第１吸水部材を特定の形態とすることによって、上記の効果をより効果的に発現させることができる。
【００１９】
本発明の請求項３〜５に係る壁面緑化パネルによれば、第２吸水部材を特定の形態とすることによって、余剰の水または養液の少なくとも一方をより効果的に植栽部材の外に排出することができる。
【００２０】
本発明の請求項６に係る壁面緑化パネルによれば、第１吸水部材および第２吸水部材に特定の吸水速度のものを用いることによって、上記の効果をより効果的に発現させることができる。
【図面の簡単な説明】
【００２１】
【図１】本発明の壁面緑化パネルの第一の実施形態を示す断面模式図である。
【図２】図１の壁面緑化パネルに用いる植栽部材を示す模式図である。
【図３】図１の壁面緑化パネルに用いる筐体を示す模式図である。
【図４】図３の筐体に図２の植栽部材を上下に３段に収納した状態を示す模式図である。
【図５】図１の壁面緑化パネルに用いるカバー部材を示す模式図である。
【図６】図４の前面に図５のカバー部材を装着した状態を示す模式図である。
【図７】第一の実施形態を実現するための吸水部材の加工の一例を示す模式図である。
【図８】第１吸水部材と第２吸水部材の実施形態の例を示す断面模式図である。
【発明を実施するための形態】
【００２２】
本発明の実施形態を図面に基づいて説明する。なお、以下に述べる実施形態は本発明を具体化した一例に過ぎず、本発明の技術的範囲を限定するものでない。図１は本発明の壁面緑化パネルの第一の実施形態を示す断面模式図であり、図２は図１の壁面緑化パネルに用いる植栽部材を示す模式図であり、図３は図１の壁面緑化パネルに用いる筐体を示す模式図であり、図４は図３の筐体に図２の植栽部材を上下に３段に収納した状態を示す模式図であり、図５は図１の壁面緑化パネルに用いるカバー部材を示す模式図であり、図６は図４の前面に図５のカバー部材を装着した状態を示す模式図であり、図７は第一の実施形態を実現するための吸水部材の加工の一例を示す模式図であり、図８は第１吸水部材と第２吸水部材の実施形態の例を示す断面模式図である。
【００２３】
（基本構成）
まず、本発明に係る壁面緑化パネルの基本構成を図１に基づいて説明する。
本発明に係る壁面緑化パネル１は、植栽部材２と第１吸水部材３と第２吸水部材４を主要な構成要件として構成されているものである。また、図１に示す壁面緑化パネル１においては、第１吸水部材３と第２吸水部材４に加えて、第１吸水部材３から水または養液の少なくとも一方の供給を受けて植栽に灌水をするための保水部材５（植栽基盤）を設けた構造となっている。
なお、図１に示す壁面緑化パネル１においては、図２〜６に示すように、図２に示す植栽部材２を図３に示す筐体６に上下に３段に収納した（図４）後、その前面に図５に示すカバー部材８を装着した構造（図６）となっているが、複数の植栽部材２を一体成形などで一体化した構造とする場合には筐体６やカバー部材８は不要とすることもできる。
【００２４】
次に、各構成要件を図１、７、８に基づいて説明する。
【００２５】
（植栽部材）
本発明に用いられる植栽部材２は、図２に示すとおり、横長の直方体の箱型形状をした容器であり、正面に開口９を有する植栽空間１０を設けることによって植栽を植えることができ、背板２１に通風孔１１を設けることによって第１吸水部材３、第２吸水部材４、保水部材５の蒸れを防止することができる構造となっている。
また、植栽部材２の上部には水または養液の少なくとも一方を植栽空間１０内に導入する導入口１２が設けられている構造となっており、植栽部材２の下部には開口９の下端部よりも低い位置に開口１３の下端部を設けた放出口１４が設けられている構造となっている。このように放出口１４の開口１３の位置を開口９の下端部よりも低い位置とすることによって、導入された水または養液の少なくとも一方が植栽部材２の正面側から排水されることを防止することができる。
【００２６】
なお、導入口１２の位置については特に限定されるものではないが、植栽部材２の背板または側板の少なくとも一方に設ける構造とすれば、水または養液の少なくとも一方を漏れなく植栽空間１０内に導入することができるので好適である。
特に、導入口１２の構造を、図１、２に示すように、上方と正面に横長の開口を有する形状とし、さらに係る形状の導入口１２を植栽部材２の背板２１の上部で、かつ植栽部材２の背板２１よりもさらに後方に張り出した位置に設ける構造（背面の上部が断面視Ｌ字状となる構造）とし、さらに、図３に示すように、筐体６の上部に、導入口１２と接続する供給口１５と、灌水ホース（図示せず）を配置することができる溝部１６を設けた構造とすれば、灌水ホースから供給される水または養液の少なくとも一方を漏れなく、かつ万遍なく（偏りなく）植栽空間１０内に導入することができるので好適である。さらに、複数の植栽部材２を上下方向に多段に配置した場合には、上段に位置する植栽部材２の放出口１４から植栽空間１０の外に放出されて流下した水または養液の少なくとも一方を、中段や下段に収納した植栽部材２の導入口１２が漏れなく回収することができることになり、水または養液の少なくとも一方をより効率的に使用することができることになるのでより好適である。
【００２７】
放出口１４の位置についても特に限定されるものではないが、植栽部材２の背板または側板の少なくとも一方に設ける構造とすれば、導入した水または養液の少なくとも一方を効率的に植栽空間１０外に放出することができるので好適である。
また、放出口１４の構造を、図１、２に示すように、植栽部材２の背板下部に設けた横長の開口１３とすれば、植栽部材２の背面側から植栽部材２の外部に放出（複数の植栽部材２を上下方向に多段に配置した場合には中段や下段に収納した植栽部材２の導入口１２に放出）することができるので好適である。
【００２８】
また、本発明に用いられる植栽部材２においては、図１に示すように、植栽部材２（植栽空間１０）の下部に水または養液の少なくとも一方を貯留することができる貯留部１７を設けることができる。具体的には、図２、８に示すように、植栽部材２の開口９の下部に設けた板状部材１８と、植栽空間１０を構成する底面１９と側面２０と背面２１によって形成された、上方に開口を有する直方体の空間構造とすれば、導入された水または養液の少なくとも一方を無駄にすることなく効率的に用いることができるので好適である。
また、第１吸水部材３の下部（必要に応じて第２吸水部材４と保水部材５（植栽基盤））を貯留部１７内に到達するように配置すれば、導入口１２から導入した水または養液の少なくとも一方を貯留部１７に貯留することができるとともに、第１吸水部材３（必要に応じて第２吸水部材４と保水部材５（植栽基盤））が貯留部１７から水または養液の少なくとも一方を吸い上げることによって絶えず保水することができることになり、適度な保水状態を維持することができるので好適である。また、導入口１２から頻繁に水または養液の少なくとも一方を導入（供給）する必要が無く、水やりの頻度を少なくすることもできるので好適である。具体的には、特許文献１〜３に記載されているような絶えず水や養液の供給を行ったり、細かな灌水管理をしたりする必要がある壁面緑化パネルに比べて、水または養液の少なくとも一方の量を１／３〜１／６程度に削減することができる。
さらに、放出口１４は開口９の下端部よりも低い位置に設けられていることから、貯留部１７から水または養液の少なくとも一方がオーバーフローする際にも余剰の水または養液の少なくとも一方を植栽部材２の正面側に溢れさせることなく、背面側から放出することができることになるので好適である。
【００２９】
（第１吸水部材）
本発明に用いられる第１吸水部材３は植栽空間１０内に配置されるものであり、導入口１２から導入される水または養液の少なくとも一方を吸収し、植栽に供給するためのものである。また、図１に示す壁面緑化パネル１のように保水部材５（植栽基盤）を設けた構造を採用する場合には、導入される水または養液の少なくとも一方を保水部材５（植栽基盤）に供給するものとなる。
【００３０】
第１吸水部材３の植栽空間１０内における配置位置については、放出口１４を覆うものであればその他については特に限定されるものではないが、導入口１２から導入される水または養液の少なくとも一方を効率的に吸収するためには、植栽部材２の内背面、すなわち植栽空間１０の一番奥の位置に配置することが好ましい。さらに、植栽部材２内において導入口１２と放出口１４との間を渡設するように配置することが好ましい。このように第１吸水部材３を植栽空間１０の一番奥の位置で、かつ導入口１２と放出口１４との間を渡設するように配置すれば、導入された水または養液の少なくとも一方を漏れなく吸収することができるとともに、余剰な水または養液の少なくとも一方を効率的に放出することができることになる。
なお、第１吸水部材３の下部については余剰な水または養液の少なくとも一方の排出を行うために放出口１４を覆う必要があるが、第１吸水部材３の上部については必ずしも導入口１２まで到達させることはなく、導入口１２の下方に第１吸水部材３の上部が位置するように配置して導入口１２から導入される水または養液の少なくとも一方を受け止めることによって吸収する形態とすることもできる。
【００３１】
第１吸水部材３の物性としては、毛管現象によって水または養液の少なくとも一方を吸収することができるものであれば特に限定されるものではないが、ＪＩＳ  Ｌ  １９０７の滴下法における吸水速度が５秒以下のものが好ましく、その中でもＪＩＳ  Ｌ  １９０７の滴下法における吸水速度が１秒以下のものを用いることが好ましい。そしてこのような第１吸水部材３の材質としては係る物性を有するフェルト、スポンジ、布、不織布などが挙げられる。
【００３２】
（第２吸水部材）
本発明に用いられる第２吸水部材４は、放出口１４に配置されるものであり、第１吸水部材３内の余剰の水または養液の少なくとも一方を植栽部材２外に排出するためのものである。具体的には、放出口１４の開口側面２２（特に、開口の側面の中でも、図１、８に示すように、余剰の水または養液の少なくとも一方がオーバーフローする下側の面）に放出口１４から外側に向かって突出するように配置されるものであり、第１吸水部材３から放出される（滲み出てくる）水または養液の少なくとも一方を吸収し、植栽部材２外に排出するものである。
なお、第２吸収部材が放出口１４に配置されていない場合は、第１吸収部材３における余剰の水または養液の少なくとも一方が放出口１４から滲み出たとしても、その表面張力により放出口１４の下側開口側面に水滴となって溜まり排出が滞ってしまうが、本発明では、第１吸水部材３と第２吸水部材４を特定の形態（配置）とすることによって、余剰の水または養液の少なくとも一方を植栽部材２の外に効率よく排出することができるのである。具体的には、第１吸水部材３において余剰の水または養液の少なくとも一方が発生した場合には、係る余剰の水または養液の少なくとも一方は第１吸水部材３の中で最も滲み出し易い部分から滲み出そうとする。そうすると、図１に示す壁面緑化パネル１においては、第２吸水部材４は第１吸水部材３と連結または一体化した形態となっており、さらに放出口１４の開口側面２２に放出口１４から外側に向かって突出するように配置した形態となっていることから、余剰の水または養液の少なくとも一方は第１吸水部材３から第２吸水部材４に伝わり、最も滲み出易い部分である第２吸水部材４の先端２３から滴下していくことになる。
従って、余剰の水または養液の少なくとも一方を植栽部材２の外に排出することができるのである。また、最も滲み出易い部分である第２吸水部材４の先端２３から滴下していくことから、植栽部材２の背板２１に通風孔１１を設けた場合でも余剰の水または養液の少なくとも一方は第２吸水部材４の先端２３から滴下していくことになり、通風孔１１から漏れ出てしまうことなく植栽部材２の外に排出することができるのである。
なお、図１に示す形態（第１吸水部材３と第２吸水部材４とが連結または一体化した形態）を実際に作製する場合には、シート状の第１吸水部材３とシート状の第２吸水部材４をそれぞれ単純に接触させたり、縫い合わせたりすることによって連結または一体化することもできるが、図７に示すように、第１吸水部材３に切り込みを設けて立ち上げることによって舌片部２４を形成し、係る舌片部２４を放出口１４から突出させる方式を採用すれば構造や製造工程を簡略化できるので好適である。
【００３３】
さらに、第２吸水部材４の形態については、図１に示す壁面緑化パネル１のように第１吸水部材３と連結または一体化した形態に限定されるものではなく、放出口１４の開口側面２２に放出口１４から外側に向かって突出するように配置されるものであれば各種の形態を採用することができる。すなわち、本発明においては、第１吸水部材３から滲み出そうとする余剰の水または養液の少なくとも一方を素早く吸収することができるように第２吸水部材４を放出口１４に配置することが重要となるのである。
具体的には、図８（ａ）に示す形態（図１の壁面緑化パネル１の形態）の他に、図８（ｂ）に示すような第１吸水部材３と第２吸水部材４を分離する形態や、図８（ｃ）に示すような第１吸水部材３と第２吸水部材４を分離し、さらに放出口１４から外側に向かって突出している部分が下向きに垂れ下がっている形態（下向きに折れ曲がっている形態）などを挙げることができる。
【００３４】
また、第２吸水部材４における放出口１４から外側に向かって突出する突出角度（Θ）については、放出口１４から鉛直方向に対してほぼ水平にすることが好ましい。すなわち、図８（ｄ）、（ｅ）に示すような形態（第２吸水部材４を第１吸水部材３と連結または一体化し、かつ放出口１４から外側に向かって突出している部分を下向きに垂れ下げる形態（下向きに折り曲げる形態））とした場合には、逆に「水みち」が形成されてしまうことになり、その結果、排出効果が高くなり過ぎてしまって、本来、第１吸水部材３や保水部材５に吸水または保水されていなければならない水または養液の少なくとも一方についても排出されてしまう恐れがあるのである。
従って、係る状況が発生することを回避するために、第２吸水部材４の突出角度（Θ）（特に、第１吸水部材３と第２吸水部材４とが連結または一体化した形態を採用する場合の突出角度（Θ））については、放出口１４から鉛直方向に対してほぼ水平にすることが好ましく、その中でも鉛直方向に対して６０〜９０°であることがより好ましく、その中でも８５〜９０°であることがさらに好ましい。
但し、第２吸水部材４の突出角度（Θ）は、水平（放出口１４から鉛直方向に対して９０°）よりも上向きになってはいけないことになる。すなわち、第２吸水部材４の先端２３が水平よりも上向きになってしまうと、余剰の水または養液の少なくとも一方が第２吸水部材４の先端２３から滴下し難くなってしまうのである。従って、本発明における「ほぼ水平」との意は、「放出口１４から鉛直方向に対して９０°以下の範囲でほぼ水平」との意である。
なお、第２吸水部材４の形態を、第１吸水部材３と分離し、さらに放出口１４から外側に向かって突出している部分が下向きに垂れ下がっている形態（図８（ｃ）に示すような形態）とする場合には、上記のような「水みち」が形成されることを考慮する必要がないことから、突出角度（Θ）が６０°未満である形態、つまりほぼ直角に折り曲げるような形態を採用しても良いことになる。
【００３５】
放出口１４から外側に向かって突出する第２吸水部材４の突出長さ（Ｌ）については、第２吸水部材４の先端２３が筐体６の背面から突出することなく、また余剰の水または養液の少なくとも一方を第２吸水部材４の先端２３から滴下させることができる長さとなっていれば特に限定されるものではないが、５〜１５ｍｍとすることが好ましく、その中でも１０ｍｍとすることがより好ましい。
なお、第２吸水部材４の突出長さ（Ｌ）は、図８（ｄ）、（ｅ）に示すような形態（第２吸水部材４を第１吸水部材３と連結または一体化し、かつ放出口１４から外側に向かって突出している部分を下向きに垂れ下げる形態（下向きに折り曲げる形態））を採用した場合には、突出角度（Θ）との関係がより重要となる。従って、第２吸水部材４を係る形態とした場合には突出長さ（Ｌ）を５〜１５ｍｍとし、かつ突出角度（Θ）を８５°〜９０°とすることが好ましく、その中でも突出長さ（Ｌ）を１０ｍｍとし、かつ突出角度（Θ）を８５°〜９０°とすることがより好ましい。
【００３６】
また、上記した第２吸水部材４については、図１、７、８に示すように1箇所に設けてもよいし、複数箇所に設けることもできる。
さらに、第２吸水部材４の幅（横幅）についても特に限定されるものではなく、例えば図７に示す第２吸水部材４の幅をより広くしたり、狭くしたりするなど、必要に応じて幅の長さを調節することができる。
【００３７】
なお、図８（ｆ）は、第１吸水部材３と第２吸水部材４の各種の形態を理解するための補助図面として掲載した、第１吸水部材３、第２吸水部材４、保水部材５を設置する前の状態の植栽部材２の断面模式図である。
【００３８】
第２吸水部材４の物性としては毛管現象によって、第１吸水部材３と同様に水または養液の少なくとも一方を吸収することができるものであれば特に限定されるものではないが、ＪＩＳ  Ｌ  １９０７の滴下法における吸水速度が５秒以下のものが好ましく、その中でもＪＩＳ  Ｌ  １９０７の滴下法における吸水速度が１秒以下のものを用いることが好ましい。さらにその中でも第１吸水部材３と同じ物性のものを用いることが好ましい。そしてこのような第２吸水部材４の材質としては係る物性を有するフェルト、スポンジ、布、不織布などが挙げられる。
【００３９】
（保水部材）
本発明の壁面緑化パネルは植物を第１吸水部材３に直接植栽することもできるが、図１、７、８に示すように、必要に応じて保水部材５を用いることもできる。係る保水部材５は、植栽基盤として植物を植栽するためのものであり、第１吸水部材３と接触（図１、７、８においては層状を形成）することによって、第１吸水部材３が吸収している水または養液の少なくとも一方を受け取って植物に供給するものとなる。
【００４０】
なお、本発明において保水部材５を用いる場合には、ＪＩＳ  Ｌ  １９０７の滴下法における吸水速度が第１吸水部材３の吸水速度と同等または第１吸水部材３の吸水速度よりも遅いものを用いることが好ましい。
【実施例】
【００４１】
次に、本発明に係る壁面緑化パネルを実施例および比較例に基づいて詳しく説明する。なお、本発明は以下の実施例に限定されるものではない。
【００４２】
（実施例１）
まず、プラスチック成型によって、縦１５．８ｃｍ×横４９．０ｃｍ×奥行５．６ｃｍで、かつ縦１４．３ｃｍ×横４３．７ｃｍ×奥行３．６ｃｍの凹状の植栽空間を有する直方体の容器を作製した。
次に、係る容器の背板上部に縦２．０ｃｍ×横２１．５ｃｍの導入口を設け、背板下部に縦１．０ｃｍ×横２０．０ｃｍの放出口を設け、背板中央部に複数の通風孔を設け、さらに凹状の植栽空間の前方下部（植栽空間を形成する開口の下部）に板状部材を接着して形成した貯留部を設けることによって、植栽部材を模式した模型を作製した。
次に、第１吸水部材として、ＪＩＳ  Ｌ  １９０７の滴下法における吸水速度が１秒のＰＥＴ製フェルトを用い、ＰＥＴ製フェルトに縦１．０ｃｍ×横１０．０ｃｍの切り込みを設けて立ち上げることによって舌片部（第２吸水部材）を形成した。
次に、ＰＥＴ製フェルトを植栽部材の内背面、すなわち植栽空間１０の一番奥の位置に配置するとともに、係る舌片部を放出口から鉛直方向に対してほぼ水平（第２吸水部材の突出角度（Θ）は８５°〜９０°）に突出させた。
最後に、保水部材としてポリエステル繊維製フェルトを用い、係る保水部材を図８（ａ）に示すようにＰＥＴ製フェルト（第１吸水部材）の前に配置することによって、実施例１の壁面緑化パネルを作製した。
【００４３】
（実施例２）
第１吸水部材と第２吸水部材を図８（ｂ）に示すように分離した以外は、実施例１と同様にして実施例２の壁面緑化パネルを作製した。なお、第２吸水部材の突出角度（Θ）は８５°〜９０°とした。
【００４４】
（実施例３）
第１吸水部材と第２吸水部材を図８（ｃ）に示すように分離した以外は、実施例１と同様にして実施例３の壁面緑化パネルを作製した。なお、第２吸水部材の突出角度（Θ）は６０°とした。
【００４５】
（比較例１）
実施例１における第２吸水部材（舌片部）を図８（ｄ）に示すように折り曲げた以外は、実施例１と同様にして比較例１の壁面緑化パネルを作製した。なお、第２吸水部材の突出角度（Θ）は４５°とした。
【００４６】
（比較例２）
実施例１における第２吸水部材（舌片部）を図８（ｅ）に示すような形態にした以外は、実施例１と同様にして比較例２の壁面緑化パネルを作製した。なお、第２吸水部材の突出角度（Θ）は４５°とした。
【００４７】
（比較例３）
第２吸水部材を設けず、貯留部の底面に排水孔を空けることによって、第１吸水部材の下端部から滲み出す水を強制的に植栽部材から排出する形態（特許文献１〜３に記載されている壁面緑化パネルを模倣した形態）にした以外は、実施例１と同様にして比較例３の壁面緑化パネルを作製した。
【００４８】
上記の各実施例および各比較例の壁面緑化パネルについて、導入口から水を導入したところ、実施例の壁面緑化パネルは全て、水が適度に第１吸水部材と保水部材に保持されるとともに貯留部に水が貯留された。そして、さらに導入口から水を追加して導入したところ、水は通風孔から漏れることなく、第２吸水部材から滴下することが確認できた。
一方、比較例の壁面緑化パネルは、最初に水を導入した際は水が適度に第１吸水部材と保水部材に保持されるとともに貯留部に水が貯留されたが、その後、水を追加する前に第２吸水部材から水が滴下し始め、第１吸水部材と保水部材が少し乾き気味な状態となった。
また実施例１の壁面緑化パネルは、第１吸水部材に対して１日当たり３０分の灌水（朝と晩にそれぞれ１５分の灌水：合計２回の灌水）で植栽を維持することができたのに対し、比較例３の壁面緑化パネルは、１５分の灌水を日中（６：００〜１８：００）は２時間当たり１回、日没後（１８：００〜６：００）は６時間当たり１回の合計８回の灌水行う必要があった。従って、本発明の壁面緑化パネルは、従前の壁面緑化パネルに比べて水または養液の少なくとも一方の量を１／４（＝２回／８回）削減できることが分かった。
以上のことから、本発明の壁面緑化パネルは、吸水部材を特定の形態で設けていることによって、余剰の水または養液の少なくとも一方を植栽部材の外に排出することができ、また、パネル間の隙間や通風孔などからの水または養液の少なくとも一方の漏れを防止しながら、余剰の水または養液の少なくとも一方を植栽部材の外に排出することができることが確認できた。
【産業上の利用可能性】
【００４９】
本発明の壁面緑化パネルは壁面緑化に用いることができる。
【符号の説明】
【００５０】
１    壁面緑化パネル
２    植栽部材
３    第１吸水部材
４    第２吸水部材
５    保水部材
６    筐体
７    ポケット部
８    カバー部材
９    開口
１０  植栽空間
１１  通風孔
１２  導入口
１３  開口
１４  放出口
１５  供給口
１６  溝部
１７  貯留部
１８  板状部材
１９  底面
２０  側面
２１  背面
２２  開口側面
２３  先端
２４  舌片部
Ｗ  水または養液の少なくとも一方
Ｌ  突出長さ
【図１】
2019062818.tif 000003
【図２】
2019062818.tif 000004
【図３】
2019062818.tif 000005
【図４】
2019062818.tif 000006
【図５】
2019062818.tif 000007
【図６】
2019062818.tif 000008
【図７】
2019062818.tif 000009
【図８】
2019062818.tif 000010